(57)【要約】【課題】  本発明の課題は、ＲＦＩＤチップ用ラベルを使用することで薬剤容器の管理をより円滑に管理でき、小径の容器でも浮き上がりを押さえ、ＩＤタグを外部による衝撃や傷などから保護し、使用済みのＲＦＩＤラベルを容易に回収又は再貼着できるＲＦＩＤチップ用ラベルを提供することにある。【解決手段】  ラベル１を薬剤容器１１に対して、タグ配置部２１を含む一端から巻き始め、一周するとともに切り離し部２２を、タグ配置部２１（情報部５３を含む）の上に重ねて接着するのである（図３（ａ）参照）。より詳しくは、例えば図３（ｂ）示すように、情報部５３がタグ配置部２１と切り離し部２２とに挟まれるように貼付する。ラベル１が容器にしっかりと貼付されるため、情報部５３が剥がれ落ちる恐れがない。また、分離後もラベル基材６が貼着されており（図３（ｃ）参照）、情報部５３は外部からの衝撃や傷などから守られる。【選択図】図３
2010091615.tif 000002
【特許請求の範囲】
【請求項１】
容器の胴部にこれを周回するように貼付される長手形状のラベルであって、
そのラベルは、前記容器の胴部を１周を超えてオーバーラップするように周回する周方向長さを有するとともに、ラベル裏面に粘着層を備え、
そのオーバーラップして二重となる内側及び外側のラベル部に挟まれることとなる位置に、ＲＦＩＤチップが前記ラベルに接着され、
さらに、そのＩＤタグを挟んで二重となる内側及び外側のラベル部のうちの外側のラベル部に、ＩＤタグを包含する幅で他のラベル部から切り離し可能な切り離し部が形成され、
さらに、前記ＲＦＩＤチップの前記内側のラベル部に対する接着力は、前記外側のラベル部に対する接着力より弱くされて、外側のラベル部に剥離力が加えられたときに前記ＲＦＩＤチップが前記外側のラベル部に付着したまま前記内側のラベル部から剥離される接着力とされ、
前記ラベルのオーバーラップ部分における外側ラベル部の切り離し部をラベルの他の部分からに切り離すことにより、前記ＲＦＩＤチップがその外側のラベル部とともに、ラベルの本体部分から分離可能とされたことを特徴とするＲＦＩＤチップ用ラベル。
【請求項２】
前記ＲＦＩＤチップは表面に表示部を含み、
前記ラベルの少なくとも切り離し部は透明であり、
前記ラベルが容器にオーバーラップして貼付されると、前記表示部は切り離し部が透明であることにより表示部が透けて見える請求項１に記載のＲＦＩＤチップ用ラベル。
【請求項３】
前記切り離し部は方形状をなし、
前記切り離し部には、分離する際に指をかける突部が形成されている請求項１または２に記載のＲＦＩＤチップ用ラベル。
【請求項４】
前記ＲＦＩＤチップが接着される内側のラベル部の表面には、前記ＩＤタグと該内側のラベル部との剥離性を向上させるための剥離層が形成されている請求項１ないし３に記載のＲＦＩＤチップ用ラベル。
【請求項５】
前記ラベルは、透明樹脂製である請求項１ないし４に記載のＲＦＩＤチップ用ラベル。
【発明の詳細な説明】
【技術分野】
【０００１】
本発明は、例えば薬剤容器に添付して用いるＲＦＩＤチップ用ラベルに関する。
【背景技術】
【０００２】
従来から、製品の在庫管理や販売管理にバーコードが用いられてきた。近年、これに代わって無線で情報の送受信ができる非接触型ＩＤタグの使用が増加している。これはアンテナコイルとＩＣチップを絶縁性の基材に設けたもので、電波を用いた非接触型の情報交信を行うことが可能である。アンテナコイルとＩＣチップ、そして容量素子によって共振回路が形成されており、外部に設置された書込装置からの電波（情報）を受信することでＩＣチップにその情報を書き込むことができる。また、外部機器（読取装置）からの電波を受信すると、ＩＣチップに記憶している情報を外部機器に返信する。
【０００３】
このようなＲＦＩＤチップである非接触型ＩＤタグ（以下、ＩＤタグとも記す）と表示ラベルが一体化したＲＦＩＤラベルが使用されている。ＲＦＩＤラベルは表面に製品情報の表示部を備えており、裏面にはＩＤタグが接着されるとともに、製品に貼り付けるための接着面が形成されている。ＲＦＩＤラベルを製品に貼り付けると、製品情報の読み取りを無線で行うことができるので、製品管理に便利である。
【０００４】
また、製品や製品を収容させた容器に取り付けたＲＦＩＤタグなどを再利用したり、ＩＣチップに記憶されている情報が悪用されたりするのを防止するため、上記のＲＦＩＤタグなどを製品や製品を収容させた容器から取り外して回収することが行われている。
【０００５】
特許文献１のように、ＩＣチップがラベル基材に取り付けられたＲＦＩＤラベルにおいて、商品や商品を収容させた容器などの被貼着物に貼付させる貼付面に粘着力の弱い再剥離性粘着剤を設けるようにしたものは開示されている。しかし、ラベル一枚を貼付する形で、小径の容器の表面ではラベル接着部分が浮き上がり、手で触るなどしているうちにラベルが剥がれやすい状態にあった。
【特許文献１】特開２００７−２５６５６６号公報
【発明の開示】
【発明が解決しようとする課題】
【０００６】
本発明の課題は、特に医療現場においてＲＦＩＤチップ用ラベルを使用することで薬剤容器の管理をより円滑に管理でき、小径の容器でも浮き上がりを押さえ、ＩＤタグを外部による衝撃や傷などから保護し、使用済みのＲＦＩＤラベルを容易に回収又は再貼着できるＲＦＩＤチップ用ラベルを提供することにある。
【課題を解決するための手段及び発明の効果】
【０００７】
上記の課題を解決するために、本発明は、容器の胴部にこれを周回するように貼付される長手形状のラベルであって、
そのラベルは、前記容器の胴部を１周を超えてオーバーラップするように周回する周方向長さを有するとともに、ラベル裏面に粘着層を備え、
そのオーバーラップして二重となる内側及び外側のラベル部に挟まれることとなる位置に、ＲＦＩＤチップが前記ラベルに接着され、
さらに、そのＩＤタグを挟んで二重となる内側及び外側のラベル部のうちの外側のラベル部に、ＩＤタグを包含する幅で他のラベル部から切り離し可能な切り離し部が形成され、
さらに、前記ＲＦＩＤチップの前記内側のラベル部に対する接着力は、前記外側のラベル部に対する接着力より弱くされて、外側のラベル部に剥離力が加えられたときに前記ＲＦＩＤチップが前記外側のラベル部に付着したまま前記内側のラベル部から剥離される接着力とされ、
前記ラベルのオーバーラップ部分における外側ラベル部の切り離し部をラベルの他の部分からに切り離すことにより、前記ＲＦＩＤチップがその外側のラベル部とともに、ラベルの本体部分から分離可能とされたことを特徴とする。
【０００８】
以上のように構成することにより、ラベルを容器の胴部を１周を越えてオーバーラップするように周回され、ラベルに挟まれたＩＤタグは、容器から剥がれにくく、傷などから守られることが可能となる。また、オーバーラップすることにより、小径の容器に対してもＩＤタグの浮き上がりを押さえることができる。容器に貼付されたＩＤタグより、容器内容物などの情報を機械で読み取り、製品の管理などを行う。本発明のＲＦＩＤチップ用ラベルは、薬剤容器（例えばアンプルやバイアルなど）にも使用できる。
【０００９】
また、切り離し部を分離させると、ＩＤタグの内側及び外側のラベル部に対する接着力との差により切り離し部に貼着し、ＩＤタグは切り離し部と共に分離部として分離する。この接着力の差は、例えば接着剤の強いものと弱いものと種類を変えたり、同じ接着剤を利用しつつ、一方にはシリコンなどの剥離を促進する物質を塗布又はコーティングしたり、または同じ接着剤を使いつつ一方にはある程度の糊殺しを施したりすればよい。切り離し部は、ミシン部などにより形成されれば、切取りできる。これにより、使用済みの容器とＩＤタグを別々に回収できる。また、分離部の裏面に粘着剤などを塗布することにより再貼着することができ、ＩＤタグを再利用でき、粘着剤などを塗布することなく、容易に再貼着することができる。
【００１０】
さらに本発明では、前記ＲＦＩＤチップは表面に表示部を含み、
前記ラベルの少なくとも切り離し部は透明であり、
前記ラベルが容器にオーバーラップして貼付されると、前記表示部は切り離し部が透明であることにより表示部が透けて見える。
【００１１】
ＩＤタグと表示部の両方の情報を確認することで、より正確に製品管理が行える。オーバーラップすることにより、表示部の保護もできる。また、ＩＤタグやＩＤタグの読み取り機械が不具合で、情報を読み取れない場合でも、切り離し部が透けて見えるため表示部により薬剤情報を確認できる。
【００１２】
本発明では、前記切り離し部は方形状をなし、
前記切り離し部には、分離する際に指をかける突部が形成されている。
【００１３】
容器に貼付させたラベルを分離するとき、突部に指をかけて分離部を引き剥がせば容易に剥がすことができる。
【００１４】
また、このような前記ＲＦＩＤチップが接着される内側のラベル部の表面には、前記ＩＤタグと該内側のラベル部との剥離性を向上させるための剥離層が形成されると、容器とラベルがより剥離しやすくなり容易に分離部だけを剥離できる。
【００１５】
加えて、ラベルは、透明樹脂製であり、ラベルが容器に周回して貼付されても、容器内が視認可能となる。
【発明を実施するための最良の形態】
【００１６】
以下、本発明の実施形態を、図面を参照しながら説明する。
【００１７】
図１（ａ）は、本発明に係るＲＦＩＤチップ用ラベルの一実施形態を示す。ＲＦＩＤチップ用ラベル１（以下、ラベル１とする）は、図１（ｂ）の断面図に示すように、長手形状の透明樹脂製のラベル基材６と、その裏面に塗布または印刷された粘着剤層７と情報部５３とにより構成される。また、図示しないが薬剤管理用ラベルでは不透明ラベル又はこれに相当する高い視認性のあることが望まれており、このような理由から、透明樹脂製のラベル基材６を通して背景色（特に白色）を与えるように着色層を（切り離し部２２を除いて）、粘着剤層7の下層に設けてもよい。ラベル基材６には、切り離し部２２（切り取り線などにより）が形成されて、ラベル基材６から分離できるように形成されている。また、情報部５３を配置する部分、言い換えればオーバーラップをした内側のラベル部（以下、タグ配置部２１とする）が設けられている。切り離し部２２には、分離する際に指をかける突部３が形成されている。この突部３の裏面には指をかけた時に粘着しないように、例えばインクなどからなる非粘着層（図示しない）が形成されてもよい。
【００１８】
情報部５３は、図１（ｃ）に示すようにラベル基材６（タグ配置部２１）に接着させるための弱粘着層５５と、薬剤情報を入力されたＩＤタグ５と、薬剤情報を印刷または記入された表面基材５２とにより構成される。オーバーラップを施した時に、この弱粘着層５５により剥離させる接着力の差を設けた。ここで薬剤情報とは、例えば薬剤名、製造番号、使用期限、内容量などの情報や、コード（これらの情報をバーコードなどで表示したもの）を指す。
【００１９】
ラベル１は、例えば図２（ａ）に示した筒状の薬剤容器１１に周回するように添付して使用する。すなわち図２（ｂ）に示すように、ラベル１を薬剤容器１１に対して、タグ配置部２１を含む一端から巻き始め、一周するとともに切り離し部２２を、タグ配置部２１（情報部５３を含む）の上に重ねて接着するのである（図３（ａ）の概略断面図も参照）。より詳しくは、例えば図３（ｂ）示すように、情報部５３がタグ配置部２１と切り離し部２２とに挟まれるように貼付する。ラベル１が容器にしっかりと貼付されるため、情報部５３が剥がれ落ちる恐れがない。また、分離後もラベル基材６が貼着されており（図３（ｃ）参照）、情報部５３は外部からの衝撃や傷などから守られる。
【００２０】
容器の表面には、ラベル基材６の少なくとも切り離し部２２が透明樹脂製であれば（図２も参照）、表面基材５２に印刷された薬剤情報が透けて表示される。
【００２１】
また、透明樹脂製であることによりラベル越しに薬剤容器１１の内容物（薬剤）を視認できるようにされている。すなわち薬剤容器１１は通常、ガラス製なので、ガラスを通して薬剤を視認できるのである。また、ラベル基材６に着色層を設けた場合も、薬剤容器１１を視認できるよう着色層を設けない領域を切り離し部２２とともに設ければよい。また、容器の周囲をラベル基材６で貼付してあるため、薬剤容器１１を保護することも可能である。
【００２２】
なお、上記透明樹脂としては例えばポリエチレン、ポリプロピレン、ポリエチレンテレフタレート、ポリスチレンなどが好適に用いられる。
【００２３】
以上説明したラベル１は、薬剤容器１１に貼付された状態で病院へ出荷される。ＩＤタグ５と表面基材５２との、両方の薬剤情報を読み取ることで、正確な製品管理が可能となる。
【００２４】
図４より、使用済みラベル１の回収方法を説明する。図４（ａ）より、突部３を指で摘み、切り取り線またはミシン目に沿って切り離し部２２を切り取る。図４（ｂ）に示すように、切り離し部２２が剥がされるとともに、ＩＤタグ５はタグ配置部２１に弱粘着層５５により接着しているため（図１及び図３も参照）、粘着力が強い粘着剤層７に接着し、切り離し部２２と一体となり一緒に剥離される。分離部２が全て剥がされると、図４（ｃ）に示すように分離部２の領域にタグ配置部２１が表れる。このように、薬剤容器１１と分離部２を別々に回収することができる。または、ラベル１（切り離し部２２）の粘着力によって再び容器に貼着し、分離する前（図２（ａ）参照）と同様の使用が可能となる。
【００２５】
切り離し部２２を剥離した分離部２の斜視図を図５（ａ）に示した。図５（ａ）に示すように、分離部２は情報部５３を含んだ状態で回収でき、このまま回収場に出せばラベル基材などにより保護されているため、情報部５３内のＩＤタグ５に傷をつけてしまう恐れが少ない。さらに剥離した分離部２から情報部５３の表面基材５２を剥がしてＩＤタグ５を回収することができる。また図５（ｂ）に示すように、分離部２を剥がしやすくするため、タグ配置部２１表面とＩＤタグ５裏面との間にシリコン処理８などを施し、剥離性を向上させてもよい。
【００２６】
次に、本発明のいくつかの別実施形態について説明する。ここで、上記実施形態と同様の部材は、同一の符号を付して説明を省略する。
【００２７】
例えば図６Ａに示すように、本発明のＲＦＩＤチップ用ラベル１ａは、切り離し部２２の端をラベル基材６の端に合わせて形成されてもよい。すなわち、ＲＦＩＤチップ用ラベル１ａは容器に貼付する際に、タグ配置部２１のラベル内側端と切り離し部２２のラベル外側端とを合わせて貼付される。これにより、容器への二重貼付がタグ配置部２１部分のみとなり、ラベル端の無駄をなくすことも可能となる。
【００２８】
図６Ｂでは、ＲＦＩＤチップ用ラベル１ｂは、図１のラベルにあった突部３のないラベルで構成されている。このようにすれば、突部３のない簡素に形成される。切り離し部２２を剥離するときには、切り取り線に沿って剥がせばよい。
【００２９】
図６Ｃでは、ＲＦＩＤチップ用ラベル１ｃは、切り離し部２２の幅をタグ配置部２１に比べより広く取り、これにより情報部５３及びタグ配置部２１をより覆い被せるようにする。図示しないが、剥離された分離部２の断面図は、図５（ｂ）の切り離し部２２の両端部が多分にはみ出た形状となる。
【００３０】
図６Ｄでは、ＲＦＩＤチップ用ラベル１ｄの切り離し部２２に薬剤情報を印刷した。容器に貼付したとき、切り離し部２２が前面に出るため、表面基材５２の薬剤情報は印刷されてもよいし、されなくてもよい（図１（ｃ）も参照）。また、この場合の切り離し部２２は、透明樹脂製よりも白地の樹脂製のものが好ましい。
【００３１】
図６Ｅでは、ＲＦＩＤチップ用ラベル１ｅの断面図を示した。ＲＦＩＤチップ用ラベル１ｅは、情報部５３の表示部５２が切り離し部２２の下層、言い換えれば切り離し部２２部分の粘着剤層７に貼付された形状とされる。これにより、情報部５３の弱粘着層５５は、設けてもよいし設けなくてもよい（図１（ｃ）も参照）。
【００３２】
また、図６Ｆに示すように、本発明のＲＦＩＤチップ用ラベル１ｆでは、タグ配置部２１が分離部２を剥離した後に容器に残るため、タグ配置部２１に印刷をし、剥離したことを明白にした。
【００３３】
図６Ａ〜Ｆように、ＲＦＩＤチップ用ラベル１は、上記のような組み合わせ等の形式に限定されるものではない。
【００３４】
以上、本発明の実施形態について説明したが、本発明はこれらの形式に限定されるものではなく、これらに具現された発明と同一性の範囲内において適宜変更して実施し得る。例えば、本発明のＲＦＩＤチップ用ラベルは、錠剤、カプセル、細粒、顆粒、散剤、液剤などの医薬品や、医薬品以外の内容物を収納した容器（例えば多角形状の容器でも）に適用してもよい。
【図面の簡単な説明】
【００３５】
【図１】（ａ）ＲＦＩＤチップ用ラベルの平面図、（ｂ）断面図、（ｃ）情報部を拡大した断面図。
【図２】（ａ）ＲＦＩＤチップ用ラベルを容器に貼付した使用例を示した図、（ｂ）貼付前の図。
【図３】（ａ）ＲＦＩＤチップ用ラベルを容器に貼付前の断面図、（ｂ）貼付後の断面図、（ｃ）剥離の断面図。
【図４】（ａ）ＲＦＩＤチップ用ラベルを容器から剥離する最初の図、（ｂ）次の図、（ｃ）全て剥離した後の容器の図。
【図５】（ａ）剥離した分離部の斜視図、（ｂ）シリコン処理を示した断面図。
【図６Ａ】ＲＦＩＤチップ用ラベルの別実施例１を示した図。
【図６Ｂ】ＲＦＩＤチップ用ラベルの別実施例２を示した図。
【図６Ｃ】ＲＦＩＤチップ用ラベルの別実施例３を示した図。
【図６Ｄ】ＲＦＩＤチップ用ラベルの別実施例４を示した図。
【図６Ｅ】ＲＦＩＤチップ用ラベルの別実施例５の断面図。
【図６Ｆ】ＲＦＩＤチップ用ラベルの別実施例６の使用例を示した図。
【符号の説明】
【００３６】
１    ＲＦＩＤチップ用ラベル
２    分離部
２１  タグ配置部
２２  切り離し部
３    突部
５    ＩＤタグ
６    ラベル基材
１１  薬剤容器
５３  情報部
【図１】
2010091615.tif 000003
【図２】
2010091615.tif 000004
【図３】
2010091615.tif 000005
【図４】
2010091615.tif 000006
【図５】
2010091615.tif 000007
【図６Ａ】
2010091615.tif 000008
【図６Ｂ】
2010091615.tif 000009
【図６Ｃ】
2010091615.tif 000010
【図６Ｄ】
2010091615.tif 000011
【図６Ｅ】
2010091615.tif 000012
【図６Ｆ】
2010091615.tif 000013